(57)【要約】【課題】ユーザが筐体を保持したときに、ユーザの意図に反した処理が実行されてしまうことを防止することができる技術を提供すること。【解決手段】本技術に係る情報処理装置は、筐体と、表示部と、感圧センサと、制御部とを具備する。前記筐体は、正面と、操作領域を有するサブ面とを有し、ユーザが保持可能とされる。前記表示部は、前記正面に設けられる。前記感圧センサは、前記サブ面に対する圧力値を検出する。前記制御部は、前記圧力値に基づいて、前記操作領域がユーザによって操作されている状態と、前記操作領域がユーザによって保持されている状態とを識別し、前記操作領域がユーザによって操作されている状態であると判定された場合、前記操作領域に対するユーザの操作に基づいて所定の処理を実行する。【選択図】図８
2019017153.tif 000002
【特許請求の範囲】
【請求項１】
正面と、操作領域を有するサブ面とを有し、ユーザが保持可能な筐体と、
前記正面に設けられた表示部と、
前記サブ面に対する圧力値を検出する感圧センサと、
前記圧力値に基づいて、前記操作領域がユーザによって操作されている状態と、前記操作領域がユーザによって保持されている状態とを識別し、前記操作領域がユーザによって操作されている状態であると判定された場合、前記操作領域に対するユーザの操作に基づいて所定の処理を実行する制御部と
を具備する情報処理装置。
【請求項２】
請求項１に記載の情報処理装置であって、
前記制御部は、前記圧力値が所定時間内において所定範囲内の値を取り続けるという条件を満たした場合、前記操作領域がユーザによって操作されている状態であると判定する
情報処理装置。
【請求項３】
請求項２に記載の情報処理装置であって、
前記制御部は、前記条件を満たさない場合、前記操作領域がユーザによって保持されている状態であると判定する
情報処理装置。
【請求項４】
請求項１に記載の情報処理装置であって、
複数の感圧センサを有し、
前記制御部は、前記複数の感圧センサのうち第１の感圧センサによって検出された第１の圧力値が、所定時間内において所定範囲内の値を取り続けるという条件を満たした場合、第１の感圧センサに隣接する第２の感圧センサによって検出された第２の圧力値に基づいて、前記操作領域がユーザによって操作されている状態と、前記操作領域がユーザによって保持されている状態とを識別する
情報処理装置。
【請求項５】
請求項４に記載の情報処理装置であって、
前記制御部は、前記第２の圧力値が、所定の閾値未満である場合、前記操作領域がユーザによって操作されている状態であると判定する
情報処理装置。
【請求項６】
請求項４に記載の情報処理装置であって、
前記制御部は、前記第２の圧力値が、所定の閾値以上である場合、前記操作領域がユーザによって保持されている状態であると判定する
情報処理装置。
【請求項７】
請求項１に記載の情報処理装置であって、
前記制御部は、前記サブ面において、前記操作領域を設定する位置を決定する
情報処理装置。
【請求項８】
請求項７に記載の情報処理装置であって、
前記筐体の姿勢を検出するモーションセンサをさらに具備し、
前記制御部は、検出された前記筐体の姿勢に基づいて、前記操作領域を設定する位置を決定する
情報処理装置。
【請求項９】
請求項７に記載の情報処理装置であって、
前記制御部は、前記圧力値に基づいて、ユーザによって筐体が保持されている保持パターンを判定し、前記保持パターンに基づいて、前記操作領域を設定する位置を決定する
情報処理装置。
【請求項１０】
請求項８に記載の情報処理装置であって、
前記制御部は、前記筐体の前記姿勢が変化したとき、前記姿勢の変化に基づいて、新たに、前記サブ面において前記操作領域を設定する位置を決定する
情報処理装置。
【請求項１１】
請求項９に記載の情報処理装置であって、
前記制御部は、前記保持パターンが変化したとき、前記保持パターンの変化に基づいて、新たに、前記サブ面において前記操作領域を設定する位置を決定する
情報処理装置。
【請求項１２】
請求項７に記載の情報処理装置であって、
前記制御部は、前記サブ面において、前記操作領域を設定したとき、前記操作領域が設定された位置を示すガイドを、前記正面における前記表示部上に表示させる
情報処理装置。
【請求項１３】
請求項１に記載の情報処理装置であって、
前記表示部は、前記正面及び前記サブ面に設けられ、
前記制御部は、前記表示部において、前記サブ面における前記操作領域に対応する位置にＧＵＩ（Graphical User Interface）を表示させる
情報処理装置。
【請求項１４】
請求項１に記載の情報処理装置であって、
前記サブ面に設けられ、ユーザの接触位置を検出する近接センサをさらに具備し、
前記制御部は、前記操作領域がユーザによって操作されている状態であると判定された場合、検出された前記接触位置に基づいて、前記所定の処理を実行する
情報処理装置。
【請求項１５】
請求項１に記載の情報処理装置であって、
前記制御部は、記操作領域がユーザによって操作されている状態であると判定された場合、前記圧力値に基づいて、前記所定の処理を実行する
【請求項１６】
請求項１に記載の情報処理装置であって、
前記筐体は、展開状態と、折り畳み状態との間で形状が変更可能である
情報処理装置。
【請求項１７】
表示部を有する正面と、操作領域を有するサブ面とを有し、ユーザが保持可能な筐体の前記サブ面に対する圧力値に基づいて、前記操作領域がユーザによって操作されている状態と、前記操作領域がユーザによって保持されている状態とを識別し、
前記操作領域がユーザによって操作されている状態であると判定された場合、前記操作領域に対するユーザの操作に基づいて所定の処理を実行する
情報処理方法。
【請求項１８】
表示部を有する正面と、操作領域を有するサブ面とを有し、ユーザが保持可能な筐体の前記サブ面に対する圧力値に基づいて、前記操作領域がユーザによって操作されている状態と、前記操作領域がユーザによって保持されている状態とを識別するステップと、
前記操作領域がユーザによって操作されている状態であると判定された場合、前記操作領域に対するユーザの操作に基づいて所定の処理を実行するステップと
をコンピュータに実行させるプログラム。
【発明の詳細な説明】
【技術分野】
【０００１】
本技術は、情報処理装置等の技術に関する。
【背景技術】
【０００２】
従来、スマートフォン等のユーザが保持可能な情報処理装置では、筐体の正面にのみディスプレイが配置されることが一般的であった。一方、近年においては、正面だけでなく、筐体の側面にもディスプレイが配置された情報処理装置が知られるようになってきている（例えば、下記特許文献１参照）。【０００３】
この種の情報処理装置では、側面に配置されたディスプレイ上に、ＧＵＩ（Graphical User Interface）が配置される場合がある。この側面に配置されたＧＵＩをユーザが指で操作すると、ＧＵＩに関する処理が実行される。
【先行技術文献】
【特許文献】
【０００４】
【特許文献１】米国特許出願公開第２０１５／０２２７２２７号明細書
【発明の概要】
【発明が解決しようとする課題】
【０００５】
ところで、筐体の側面は、一般的に、ユーザの手によって保持される部分である。このため、ユーザが筐体の側面を保持したときに、例えば、ＧＵＩが操作されたと誤認識されてしまい、ユーザの意図に反した処理が実行されてしまう場合がある。【０００６】
以上のような事情に鑑み、本技術の目的は、ユーザが筐体を保持したときに、ユーザの意図に反した処理が実行されてしまうことを防止することができる技術を提供することにある。
【課題を解決するための手段】
【０００７】
本技術に係る情報処理装置は、筐体と、表示部と、感圧センサと、制御部とを具備する。
前記筐体は、正面と、操作領域を有するサブ面とを有し、ユーザが保持可能とされる。
前記表示部は、前記正面に設けられる。
前記感圧センサは、前記サブ面に対する圧力値を検出する。
前記制御部は、前記圧力値に基づいて、前記操作領域がユーザによって操作されている状態と、前記操作領域がユーザによって保持されている状態とを識別し、前記操作領域がユーザによって操作されている状態であると判定された場合、前記操作領域に対するユーザの操作に基づいて所定の処理を実行する。【０００８】
この情報処理装置では、サブ面に対する圧力値に基づいて、操作領域がユーザによって操作されている状態と、操作領域がユーザによって保持されている状態とが識別されるため、正確にこれらの状態を識別することができる。従って、ユーザが筐体を保持したときに、ユーザの意図に反した処理が実行されてしまうことを防止することができる。【０００９】
上記情報処理装置において、前記制御部は、前記圧力値が所定時間内において所定範囲内の値を取り続けるという条件を満たした場合、前記操作領域がユーザによって操作されている状態であると判定してもよい。【００１０】
上記情報処理装置において、前記制御部は、前記条件を満たさない場合、前記操作領域がユーザによって保持されている状態であると判定してもよい。【００１１】
上記情報処理装置は、複数の感圧センサを有し、前記制御部は、前記複数の感圧センサのうち第１の感圧センサによって検出された第１の圧力値が、所定時間内において所定範囲内の値を取り続けるという条件を満たした場合、第１の感圧センサに隣接する第２の感圧センサによって検出された第２の圧力値に基づいて、前記操作領域がユーザによって操作されている状態と、前記操作領域がユーザによって保持されている状態とを識別してもよい。【００１２】
上記情報処理装置において、前記制御部は、前記第２の圧力値が、所定の閾値未満である場合、前記操作領域がユーザによって操作されている状態であると判定してもよい。【００１３】
上記情報処理装置において、前記制御部は、前記第２の圧力値が、所定の閾値以上である場合、前記操作領域がユーザによって保持されている状態であると判定してもよい。【００１４】
上記情報処理装置において、前記制御部は、前記サブ面において、前記操作領域を設定する位置を決定してもよい。【００１５】
上記情報処理装置において、前記筐体の姿勢を検出するモーションセンサをさらに具備し、前記制御部は、検出された前記筐体の姿勢に基づいて、前記操作領域を設定する位置を決定してもよい。【００１６】
上記情報処理装置において、前記制御部は、前記圧力値に基づいて、ユーザによって筐体が保持されている保持パターンを判定し、前記保持パターンに基づいて、前記操作領域を設定する位置を決定してもよい。【００１７】
上記情報処理装置において、前記制御部は、前記筐体の前記姿勢が変化したとき、前記姿勢の変化に基づいて、新たに、前記サブ面において前記操作領域を設定する位置を決定してもよい。【００１８】
上記情報処理装置において、前記制御部は、前記保持パターンが変化したとき、前記保持パターンの変化に基づいて、新たに、前記サブ面において前記操作領域を設定する位置を決定してもよい。【００１９】
上記情報処理装置において、前記制御部は、前記サブ面において、前記操作領域を設定したとき、前記操作領域が設定された位置を示すガイドを、前記正面における前記表示部上に表示させてもよい。【００２０】
上記情報処理装置において、前記表示部は、前記正面及び前記サブ面に設けられ、前記制御部は、前記表示部において、前記サブ面における前記操作領域に対応する位置にＧＵＩ（Graphical User Interface）を表示させてもよい。【００２１】
上記情報処理装置において、前記サブ面に設けられ、ユーザの接触位置を検出する近接センサをさらに具備し、前記制御部は、前記操作領域がユーザによって操作されている状態であると判定された場合、検出された前記接触位置に基づいて、前記所定の処理を実行してもよい。【００２２】
上記情報処理装置において、前記制御部は、記操作領域がユーザによって操作されている状態であると判定された場合、前記圧力値に基づいて、前記所定の処理を実行してもよい。【００２３】
上記情報処理装置において、前記筐体は、折り畳み状態と、非折り畳み状態とで形状が変更可能であってもよい。【００２４】
本技術に係る情報処理方法は、表示部を有する正面と、操作領域を有するサブ面とを有し、ユーザが保持可能な筐体の前記サブ面に対する圧力値に基づいて、前記操作領域がユーザによって操作されている状態と、前記操作領域がユーザによって保持されている状態とを識別し、前記操作領域がユーザによって操作されている状態であると判定された場合、前記操作領域に対するユーザの操作に基づいて所定の処理を実行する。【００２５】
本技術に係るプログラムは、表示部を有する正面と、操作領域を有するサブ面とを有し、ユーザが保持可能な筐体の前記サブ面に対する圧力値に基づいて、前記操作領域がユーザによって操作されている状態と、前記操作領域がユーザによって保持されている状態とを識別するステップと、前記操作領域がユーザによって操作されている状態であると判定された場合、前記操作領域に対するユーザの操作に基づいて所定の処理を実行するステップとをコンピュータに実行させる。
【発明の効果】
【００２６】
以上のように、本技術によれば、ユーザが筐体を保持したときに、ユーザの意図に反した処理が実行されてしまうことを防止することができる技術を提供することができる。
【図面の簡単な説明】
【００２７】
【図１】本技術の第１実施形態に係るスマートフォンを示す斜視図である。
【図２】スマートフォンの電気的な構成を示すブロック図である。
【図３】複数の感圧センサが配置されている位置を示す図である。
【図４】操作領域が設定されるときの処理を示すフローチャートである。
【図５】筐体がユーザによって保持されているときの様子を示す図である。
【図６】筐体がユーザによって保持されているときの様子を示す図である。
【図７】筐体がユーザによって保持されているときの様子を示す図である。
【図８】筐体の側周面に操作領域及びＧＵＩが配置されたときの様子を示す図である。
【図９】筐体の側周面に操作領域及びＧＵＩが配置されたときの様子を示す図である。
【図１０】筐体の側周面に操作領域及びＧＵＩが配置されたときの様子を示す図である。
【図１１】筐体の側周面に操作領域及びＧＵＩが配置されたときの様子を示す図である。
【図１２】筐体の側周面に操作領域及びＧＵＩが配置されたときの様子を示す図である。
【図１３】ガイドの一例を示す図である。
【図１４】ガイドの一例を示す図である。
【図１５】保持状態と、操作状態とを識別するときの処理を示すフローチャートである。
【図１６】操作状態における圧力値と、保持状態における圧力値との比較図である。
【図１７】図１７は、操作領域５が操作されている状態であると判定されたときの処理を示すフローチャートである。
【図１８】本技術がカメラアプリケーションに適用された場合の一例を示す図である。
【図１９】本技術がカメラアプリケーションに適用された場合の一例を示す図である。
【図２０】本技術がカメラアプリケーションに適用された場合の一例を示す図である。
【図２１】ガイドの一例を示す図である。
【図２２】ガイドの一例を示す図である。
【図２３】感圧機構の構造を模式的に示す要部断面図である。
【図２４】回路基板を示す図である。
【図２５】自己容量方式の静電容量センサで構成された感圧機構を模式的に示す要部断面図である。
【図２６】感圧機構の電極構造を示す図である。
【図２７】折り畳み式の筐体を有するスマートフォンを示す図である。
【図２８】近接検出機構の一例を示す図である。
【図２９】近接検出機構が感圧機構の上部に配置されたときの様子を示す図である。
【図３０】近接検出機構と感圧機構との間に、スペーサが介在されたときの一例を示す図である。
【図３１】近接検出機構と感圧機構との間に、スペーサが介在されたときの他の一例を示す図である。
【発明を実施するための形態】
【００２８】
以下、本技術に係る実施形態を、図面を参照しながら説明する。
【００２９】
＜第１実施形態＞
［スマートフォン１００の全体構成及び各部の構成］
図１は、本技術の第１実施形態に係るスマートフォン１００（情報処理装置）を示す斜視図である。図１に示すように、本実施形態に係るスマートフォン１００は、筐体１０と、筐体１０の表面に設けられた表示部１３とを備えている。
【００３０】
筐体１０は、ユーザが手で保持できる程度の大きさとされている。この筐体１０は、直方体形状を有しており、厚さ方向（Ｚ軸方向）に薄く、短手方向（Ｘ軸方向）に短く、長手方向（Ｙ軸方向）に長い形状を有している。
【００３１】
筐体１０は、正面１と、背面２と、側周面３（サブ面）とを有している。側周面３は、上面３ａ（サブ面）、下面３ｂ（サブ面）、右側面３ｃ（サブ面）、左側面３ｄ（サブ面）の４つの面を有している。なお、本明細書中において、側周面３における４つの面において、重力方向を基準として上側、下側、右側、左側の面をそれぞれ上面３ａ、下面３ｂ、右側面３ｃ、左側面３ｄとする（つまり、同じ面でも、呼び方が変わる場合がある）。
【００３２】
なお、図示は省略しているが、筐体１０には、受話口、通話口、コネクタ等が設けられている。
【００３３】
表示部１３は、例えば、液晶ディスプレイや、ＥＬ（Electro-Luminescence）ディスプレイ等により構成される。表示部１３は、筐体１０の正面１の全体に亘って設けられており、また、筐体１０の側周面３の全体に亘って設けられている。
【００３４】
なお、本実施形態においては、筐体１０の側周面３の全体に亘って表示部１３が設けられているが、筐体１０の側周面３の一部にのみ、表示部１３を配置することも可能である（例えば、右側面３ｃにのみ表示部１３が配置）。また、本実施形態においては、背面２には、表示部１３は設けられていないが、背面２に表示部１３を配置することも可能である。
【００３５】
図２は、スマートフォン１００の電気的な構成を示すブロック図である。図２に示すように、スマートフォン１００は、制御部１１、記憶部１２、表示部１３、通信部１４、アンテナ１５、スピーカ１６、マイクロフォン１７、撮像部１８、モーションセンサ１９、近接センサ２０及び複数の感圧センサ２１を備えている。
【００３６】
制御部１１は、例えば、ＣＰＵ（Central Processing Unit）等により構成される。制御部１１は、記憶部１２に記憶された各種のプログラムに基づき種々の演算を実行し、スマートフォン１００の各部を統括的に制御する。この制御部１１の具体的な処理については、後に詳述する。
【００３７】
記憶部１２は、制御部１１の作業領域として用いられる揮発性のメモリと、制御部１１の処理に必要な各種のプログラムが記憶される不揮発性のメモリとを含む。上記各種のプログラムは、光ディスク、半導体メモリ等の可搬性の記録媒体から読み取られてもよいし、ネットワーク上のサーバ装置からダウンロードされてもよい。
【００３８】
通信部１４は、アンテナ１５により送受信される電波の周波数変換や、変調及び復調等の処理を実行する。アンテナ１５は、通話用の電波や、電子メール、Ｗｅｂデータ等のパケット通信用の電波を送受信する。
【００３９】
スピーカ１６は、デジタル／アナログ変換機や増幅器等を含む。スピーカ１６は、制御部１１から入力された通話用の音声データに対してデジタル／アナログ変換処理及び増幅処理を実行し、受話口を介して音声を出力する。
【００４０】
マイクロフォン１７は、アナログ／デジタル変換機等を有する。マイクロフォン１７は、ユーザから通話口を介して入力されたアナログ音声データをデジタル音声データへ変換して制御部１１出力する。制御部１１へ出力されたデジタル音声データは、符号化された後、通信部１４及びアンテナ１５を介して送信される。
【００４１】
撮像部１８は、対物レンズおよび撮像レンズなどの光学系と、この光学系を通じて取り込んだ光を電気信号に変換するＣＭＯＳ（Complementary Metal Oxide Semiconductor）センサ、ＣＣＤ（Charge Coupled Device）センサなどの撮像素子を含む。撮像部１８は、撮像素子により撮像された信号から画像データを生成して制御部１１に供給する。
【００４２】
モーションセンサ１９は、筐体１０の動きや姿勢を検出する。このモーションセンサ１９としては、加速度センサ、角速度センサ、地磁気センサ、気圧センサなどが挙げられる（これらのうち２以上の組み合わせなどであってもよい）。
【００４３】
近接センサ２０は、筐体１０の表面上（表示部１３上）に設けられており、筐体１０の表面に対するユーザの手の近接を検出する。近接センサ２０は、筐体１０の正面１において全体に亘って設けられたおり、また、筐体１０の側周面３において全体に亘って設けられている。近接センサ２０としては、例えば、静電容量方式、抵抗膜方式のセンサが用いられるが、近接センサ２０は、どのような方式のセンサが用いられてもよい。
【００４４】
複数の感圧センサ２１は、それぞれ、筐体１０の側周面３に対するユーザの手による圧力値を検出する。感圧センサ２１としては、例えば、静電容量方式、コイル式等のセンサが用いられるが、どのような方式の感圧センサ２１が用いられてもよい。
【００４５】
図３は、複数の感圧センサ２１が配置されている位置を示す図である。図３に示すように、複数の感圧センサ２１は、筐体１０の側周面３の全体に亘って設けられている。具体的には、複数の感圧センサ２１は、表示部１３の内側の位置に、所定の間隔を開けて配置されている。
【００４６】
＜動作説明＞
［操作領域５の設定処理］
次に、制御部１１の処理について説明する。制御部１１の処理の説明においては、まず、筐体１０の側周面３に対して、操作領域５（後述の図８〜１２参照）が設定されるときの処理について説明する。なお、操作領域５は、ユーザの操作による入力が有効となる領域である。図４は、操作領域５が設定されるときの処理を示すフローチャートである。
【００４７】
図５〜図７は、筐体１０がユーザによって保持されているときの様子を示す図である。図５は、縦向きの姿勢（短手方向（Ｘ軸）よりも長手方向（Ｙ軸方向）が重力方向に近い姿勢）の筐体１０が、ユーザの右手に保持されているときの様子を示す図である。図６は、縦向きの姿勢の筐体１０が、ユーザの左手により保持されているときの様子を示す図である。図７は、横向きの姿勢（長手方向（Ｙ軸方向）よりも短手方向（Ｘ軸）が重力方向に近い姿勢）の筐体１０が、ユーザの両手に保持されているときの様子を示す図である。
【００４８】
なお、ここでの説明では、例えば、ブラウザ、メール、音楽、地図等の各種のアプリケーションプログラムが実行されており、筐体１０の正面１の表示部１３上には、各種の画像が表示されているとして説明する。
【００４９】
まず、制御部１１は、モーションセンサ１９によって検出された検出値に基づいて、重力方向を判定し、判定された重力方向から現在の筐体１０の姿勢を判定する（ステップ１０１）。例えば、ステップ１０１では、制御部１１は、図５及び図６に示すように、筐体１０が縦向きの姿勢であるのか、図７に示すように、筐体１０が横向きの姿勢であるのかを判定する。
【００５０】
次に、制御部１１は、各感圧センサ２１によって検出された圧力値に基づいて、現在の筐体１０の保持パターン（ユーザによって筐体１０がどのように保持されているかを示すパターン）を判定する（ステップ１０２）。
【００５１】
ステップ１０２では、まず、制御部１１は、各感圧センサ２１によって検出された圧力値が所定の閾値を超えるかどうかを判定する。このとき用いられる閾値の値は、ユーザが筐体１０を保持しているかどうかを判定するための適切な値が設定される。この値は、例えば、１００ｇｆ〜２００ｇｆとされる。
【００５２】
圧力値が所定の閾値を超えた場合、制御部１１は、その圧力値を検出した感圧センサ２１が配置さているポイントを判定し、そのポイントがユーザによって保持されていると判定する。そして、制御部１１は、ユーザによって保持されていると判定された各ポイントの位置から、現在の筐体１０の保持パターンを判定する。
【００５３】
図５〜図７において、ユーザによって保持されていると判定されたポイントの一例が一点鎖線の円で示されている。
【００５４】
図５に示す例では、筐体１０の右側面３ｃにおいて、ユーザの右手の親指により圧力を受けている上側の２つのポイント、及びユーザの右手の手のひらにより圧力を受けている下側の３つのポイントがユーザによって保持されていると判定される。また、筐体１０の左側面３ｄにおいて、ユーザの右手の中指及び薬指により圧力を受けている下側の４つのポイントがユーザによって保持されていると判定される。
【００５５】
図６に示す例では、筐体１０の左側面３ｄにおいて、ユーザの左手の親指により圧力を受けている上側の２つのポイント、及びユーザの左手の手のひらにより圧力を受けている下側の３つのポイントがユーザによって保持されていると判定される。また、筐体１０の右側面３ｃにおいて、ユーザの左手の中指及び薬指により圧力を受けている下側の４つのポイントがユーザによって保持されていると判定される。
【００５６】
図７に示す例では、筐体の上面３ａにおいて、ユーザの右手の人差し指により圧力を受けている右側の３つのポイント、及びユーザの左手の人差し指により圧力を受けている左側の３つのポイントがユーザによって保持されていると判定される。また、筐体の下面３ｂにおいて、ユーザの右手の親指により圧力を受けている右側の２つのポイント、及びユーザの左手の親指により圧力を受けている左側の２つのポイントがユーザによって保持されていると判定される。
【００５７】
図５〜図７に示すような、ユーザによって保持されている各ポイントが判定されると、この各ポイントの位置に基づいて、保持パターンが判定される。
【００５８】
例えば、図５に示す例では、ユーザによって保持されていると判定された合計で９つのポイントから、右手（片手）で筐体１０が保持される保持パターンのうちの一種であると判定される。また、図６に示す例では、ユーザによって保持されていると判定された合計で９つのポイントから、左手（片手）で筐体１０が保持される保持パターンのうちの一種であると判定される。また、図７に示す例では、ユーザによって保持されていると判定された合計で１０個のポイントから、両手で筐体１０が保持される保持パターンのうちの一種であると判定される。
【００５９】
保持パターンを判定すると、次に、制御部１１は、筐体１０の姿勢及び保持パターンに基づいて、筐体１０の側周面３において、操作領域５を設定する位置を決定し、その位置に操作領域５を設定する（ステップ１０３）。制御部１１は、操作領域５を設定すると、操作領域５に対応する位置に、ＧＵＩ６を配置する（ステップ１０４）。
【００６０】
図８〜図１２は、筐体１０の側周面３に、操作領域５及びＧＵＩ６が配置されたときの様子を示す図である。
【００６１】
図８を参照して、筐体１０の姿勢が縦向きの姿勢であり、筐体１０の保持パターンが右手により保持されている保持パターンである場合、例えば、筐体１０の右側面３ｃにおいて上側の位置に、操作領域５が設定される。そして、操作領域５に対応する位置に、ＧＵＩ６が配置される。
【００６２】
ここで、本実施形態では、操作領域５として、スライド操作型の操作領域５ａと、押圧操作型の操作領域５ｂの２つの操作領域５が用意されている。
【００６３】
図８では、スライド操作型の操作領域５ａが、筐体１０の右側面３ｃにおける上側の位置に設定され、スライド操作型の操作領域５ａに対して、スクロール用のＧＵＩ６ａが配置された場合の一例が示されている。
【００６４】
また、図８では、押圧操作型の操作領域５ｂが筐体１０の右側面３ｃにおける上側の位置に設定され、押圧操作型の操作領域５ｂに対して、画像切換用のＧＵＩ６ｂ（切換ボタン）が配置された場合の一例が示されている。図８に示す例では、右手の親指によって操作領域５が操作される場合が想定されている。
【００６５】
なお、操作領域５に対して割り当てられる機能（ＧＵＩ６に割り当てられる機能）については、スクロール、画面切換に限られず、適宜変更可能である。例えば、操作領域５に対しては、再生、一時停止、早送り、巻き戻し、決定、音量の増減、ズームイン／アウト、電源のＯＮ／ＯＦＦなど、あらゆる機能を割り当てることができる。
【００６６】
また、操作領域が設定される位置（ＧＵＩ６が配置される位置）についても、適宜変更可能である。典型的には、操作領域５が設定される位置（ＧＵＩ６が配置される位置）は、筐体１０の姿勢及び保持パターンを考慮して、ユーザの指で操作しやすい位置であれば、どのような位置であっても構わない。
【００６７】
例えば、図９に示すように、筐体１０の左側面３ｄにおいて上側の位置に、操作領域５が設定され、操作領域５に対応する位置に、ＧＵＩ６が配置されてもよい。なお、この例では、右手の人差し指、あるいは、左手（筐体を保持していない方の手）の指によって操作領域５が操作される場合が想定されている。
【００６８】
あるいは、図１０に示すように、筐体１０の右上の角部（上面３ａと右側面３ｃとが繋がる部分）に操作領域５が設定され、操作領域５に対応する位置に、ＧＵＩ６が配置されてもよい。なお、この例では、右手の親指によって操作領域５が操作される場合が想定されている。
【００６９】
図１１を参照して、筐体１０の姿勢が縦向きの姿勢であり、筐体１０の保持パターンが左手により保持されている保持パターンである場合、例えば、筐体１０の左側面３ｄにおいて上側の位置に、操作領域５が設定される。そして、操作領域５に対応する位置に、ＧＵＩ６が配置される。
【００７０】
図１１では、スライド操作型の操作領域５ａが、筐体１０の左側面３ｄにおける上側の位置に設定され、スライド操作型の操作領域５ａに対して、スクロール用のＧＵＩ６ａが配置された場合の一例が示されている。また、図１１では、押圧操作型の操作領域５ｂが筐体１０の左側面３ｄにおける上側の位置に設定され、押圧操作型の操作領域５ｂに対して、画像切換用のＧＵＩ６ｂ（切換ボタン）が配置された場合の一例が示されている。なお、図１１に示す例では、左手の親指によって操作領域５が操作される場合が想定されている。
【００７１】
図１２を参照して、筐体１０の姿勢が横向きの姿勢であり、筐体１０の保持パターンが両手により保持されている保持パターンである場合、例えば、筐体１０の右上の角部に、操作領域５が設定される。そして、操作領域５に対応する位置に、ＧＵＩ６が配置される。
【００７２】
図１２では、スライド操作型の操作領域５ａが、筐体１０の右上の角部に設定され、スライド操作型の操作領域５ａに対して、スクロール用のＧＵＩ６ａが配置された場合の一例が示されている。また、図１２では、押圧操作型の操作領域５ｂが筐体１０の上面３ａにおける右側の位置に設定され、押圧操作型の操作領域５ｂに対して、画像切換用のＧＵＩ６ｂ（切換ボタン）が配置された場合の一例が示されている。
【００７３】
制御部１１は、筐体１０の側周面３において、操作領域５を設定したとき、操作領域５が設定された位置を示すガイド８を、筐体１０の正面１における表示部１３上に表示させてもよい。
【００７４】
図１３及び図１４は、ガイド８の一例を示す図である。図１３に示す例では、操作領域５が設定された位置（ＧＵＩ６が配置された位置）を示す矢印と、操作領域５に割り当てられた機能（ＧＵＩ６に割り当てられた機能）を示す文字とが、ガイド８ａとして筐体１０の正面１に表示されたときの様子が示されている。なお、このガイド８ａは、表示されてから所定時間（例えば、数秒程度）が経過すると、表示部１３上から消去される。
【００７５】
図１４に示す例では、操作領域５が設定された位置（ＧＵＩ６が配置された位置）に対応する、筐体１０の正面１の位置に、操作領域５（ＧＵＩ６）を想起させる図形が、ガイド８ｂとして配置されたときの様子を示す図である。なお、このガイド８ｂは、表示されてから所定時間（例えば、数秒程度）が経過しても、表示部１３上から消去されないが、このガイド８ｂをユーザが操作しても何ら反応はしない。
【００７６】
なお、図１３に示すガイド８ａと、図１４に示すガイド８ｂとが組み合わされてもよい。
【００７７】
図４に戻り、操作領域５にＧＵＩ６を配置すると、次に、制御部１１は、モーションセンサ１９によって検出された検出値に基づいて、筐体１０の姿勢が大きく変化したかどうかを判定する（ステップ１０５）。筐体１０の姿勢が大きく変化した場合（ステップ１０５のＹＥＳ）、制御部１１は、ステップ１０１へ戻り、再びステップ１０１〜１０４の処理を実行する。
【００７８】
例えば、筐体１０の姿勢が、縦向きの姿勢（図５及び図６参照）から、横向きの姿勢（図７参照）に変化した場合や、筐体１０の姿勢が、横向きの姿勢から、縦向きの姿勢に変化した場合、制御部１１は、筐体１０の姿勢が大きく変化したと判定する。そして、この場合、制御部１１は、筐体１０の姿勢及び保持パターンを新たに判定し、その筐体１０及び保持パターンに応じて新たに操作領域５を設定し、その操作領域５に対してＧＵＩ６を配置する処理を実行する。
【００７９】
筐体１０の姿勢が大きく変化していない場合（ステップ１０５のＮＯ）、次に、制御部１１は、保持パターンが大きく変化したかどうかを判定する（ステップ１０６）。保持パターンが大きく変化したかどうかは、所定の閾値以上の圧力値を検出する感圧センサ２１の位置（ユーザによって保持されていると判定されたポイント）に基づいて判定される。
【００８０】
保持パターンが大きく変化していない場合（ステップ１０６のＮＯ）、制御部１１は、ステップ１０５に戻り、再び、筐体１０の姿勢が大きく変化したかどうかを判定する。
【００８１】
一方、保持パターンが大きく変化した場合（ステップ１０５のＹＥＳ）、制御部１１は、ステップ１０１へ戻り、再びステップ１０１〜１０４の処理を実行する。
【００８２】
例えば、右手（片手）で保持される保持パターン（図５）が、左手（片手）で保持される保持パターン（図６）に変化した場合（逆も同様）や、片手で保持される保持パターン（図５、図６）が、両手で保持される保持パターン（図７）に変化した場合（逆も同様）、制御部１１は、保持パターンが大きく変化したと判定する。
【００８３】
そして、この場合、制御部１１は、筐体１０の姿勢及び保持パターンを新たに判定し、その筐体１０及び保持パターンに応じて新たに操作領域５を設定し、その操作領域５に対してＧＵＩ６を配置する処理を実行する。
【００８４】
［保持状態、操作状態の識別処理］
次に、制御部１１が、操作領域５が保持されている状態（保持状態）であるか、操作領域５が操作されている状態（操作状態）であるかを識別するときの処理について説明する。図１５は、保持状態と、操作状態とを識別するときの処理を示すフローチャートである。
【００８５】
まず、制御部１１は、操作領域５に対応する位置に配置されている感圧センサ２１から、それぞれ、圧力値を取得する（ステップ２０１）。次に、制御部１１は、ステップ２０２〜ステップ２０７の処理を実行するが、これらの処理については、操作領域５に対応する位置に配置されている感圧センサ２１における各圧力値について、それぞれ、並行して処理が行われる。
【００８６】
ステップ２０２では、制御部１１は、圧力値が閾値α以上であるかどうかを判定する。この閾値αの値は、ユーザが筐体１０の側周面３において、操作領域５に軽く触れた（あるいは、軽く押し込んだ）ときの圧力値よりも小さい値に設定されており、閾値αの値は、１０ｇｆ〜２０ｇｆ程度の値とされている。
【００８７】
圧力値が閾値α未満である場合（ステップ２０２のＮＯ）、制御部１１は、ステップ２０２に戻り、再び、圧力値が閾値α以上であるかどうかを判定する。一方、制御部１１は、圧力値が閾値α以上である場合（ステップ２０２のＹＥＳ）、圧力値が閾値β以下であるかどうかを判定する（ステップ２０３）。閾値βの値は、ユーザが筐体１０の側面において、操作領域５に軽く触れた（あるいは、軽く押し込んだ）ときの圧力値よりも大きい値に設定されており、閾値βの値は、１００ｇｆ〜２００ｇｆ程度の値とされている。
【００８８】
圧力値が閾値β以下である場合（ステップ２０３のＹＥＳ）、制御部１１は、圧力値がαを超えた時刻Ｔ１から所定時間ｔ（例えば、０．３秒〜０．８秒程度）が経過したかどうかを判定する（ステップ２０４）。
【００８９】
所定時間ｔが経過していない場合（ステップ２０４のＮＯ）、制御部１１は、ステップ２０２に戻り、再び、圧力値が閾値α以上であるかどうかを判定する。
【００９０】
圧力値が閾値αを超えた時刻Ｔ１から所定時間ｔ（例えば、０．３秒〜０．８秒程度）が経過する前（ステップ２０４参照）に、圧力値が閾値βを超えた場合（ステップ２０３のＮＯ）、制御部１１は、ステップ２０７へ進む。ステップ２０７では、制御部１１は、判定の対象となっている圧力値を検出した感圧センサ２１が配置されているポイント（以下、対応するポイント）については、保持状態であると判定する（ステップ２０７）。
【００９１】
圧力値が、閾値α以上閾値β以下の範囲内の値を取り続けたまま（ステップ２０２、２０３参照）、所定時間ｔが経過した場合（ステップ２０４のＹＥＳ）、制御部１１は、次のステップ２０５へ進む。
【００９２】
ステップ２０５では、制御部１１は、判定の対象となっている圧力値（第１の圧力値）を検出した感圧センサ２１（第１の感圧センサ）に隣接する２つの感圧センサ２１（第２の感圧センサ）の圧力値（第２の圧力値）が所定の閾値以上であるかどうかを判定する。この閾値の値は、例えば、１０ｇｆ〜２０ｇｆ程度の値とされている。
【００９３】
隣接する２つの感圧センサ２１の圧力値のうち、少なくとも一方の圧力値が所定の閾値以上である場合（ステップ２０５のＹＥＳ）、制御部１１は、対応するポイントについては、保持状態であると判定する（ステップ２０７）。
【００９４】
一方、隣接する２つの感圧センサ２１の両方の圧力値が、所定の閾値未満である場合（ステップ２０５のＮＯ）、制御部１１は、対応するポイントについては、操作状態であると判定する（ステップ２０６）。
【００９５】
図１６は、操作状態における圧力値と、保持状態における圧力値との比較図である。
【００９６】
図１６に示すように、操作状態の圧力値は、時刻Ｔ１において閾値α（１０ｇｆ〜２０ｇｆ程度）以上の値を取った後、所定時間ｔ（０．３秒〜０．８秒程度）が経過して時刻Ｔ２になるまでの間は、閾値α以上閾値β以下の範囲内の値を取り続けることが多い。一方、保持状態の圧力値は、時刻Ｔ１において閾値α（１０ｇｆ〜２０ｇｆ程度）以上の値を取った後、所定時間ｔ（０．３秒〜０．８秒程度）が経過して時刻Ｔ２になる前に、閾値βを超える場合が多い。
【００９７】
本実施形態では、この関係を利用して、制御部１１は、保持状態と、操作状態とを識別している。典型的には、ステップ２０２〜２０４において、制御部１１は、圧力値が所定時間（圧力値がαを超えた時刻Ｔ１から所定時間ｔが経過するまでの時間）内において所定範囲（閾値α以上閾値β以下の範囲）内の値を取り続けるという条件を満たすかどうかを判定している。そして、制御部１１は、上記条件を満たす場合、対応するポイントについては、所定の条件下で操作状態であると判定している。一方、上記条件を満たさない場合、対応するポイントについては、保持状態と判定している。
【００９８】
ここで、保持状態の圧力値が、図１６に示すような操作状態の圧力値と同じような値を取ってしまう場合も想定される。この場合、保持状態であるにも拘らず、操作状態であると制御部１１が誤判定をしてしまう可能性がある。この誤判定を防止するため、制御部１１は、ステップ２０５において、隣接する２つの感圧センサ２１の圧力値が所定の閾値以上であるかどうかを判定している。
【００９９】
つまり、図５〜図７に示すように、筐体１０がユーザによって保持されているとき、所定の閾値以上の圧力値を検出する感圧センサ２１の位置が隣接しやすいといった特徴がある。本実施形態では、制御部１１は、この特徴を利用して、保持状態と操作状態との識別の精度を向上させている。つまり、制御部１１は、上記条件を満たしたとしても、隣接する２つの感圧センサ２１の圧力値のうち、少なくとも一方の圧力値が所定の閾値以上である場合には、操作状態ではなく、保持状態であると判定している。そして、上記条件を満たし、かつ、隣接する２つの感圧センサ２１の両方の圧力値が所定の閾値未満である場合に限って、操作状態であると判定している。
【０１００】
［操作状態である場合の処理］
次に、操作領域５がユーザにより操作されている状態であると判定されたときの処理について説明する。図１７は、操作領域５が操作されている状態であると判定されたときの処理を示すフローチャートである。
【０１０１】
まず、制御部１１は、操作状態であると判定されたポイントを含む操作領域５が、スライド操作型の操作領域５ａであるかどうかを判定する（ステップ３０１）。操作領域５がスライド操作型の操作領域５ａである場合（ステップ３０１のＹＥＳ）、制御部１１は、近接センサ２０によって検出された検出値に基づいて、ユーザの指の接触位置を判定する（ステップ３０２）。
【０１０２】
次に、制御部１１は、ユーザの指の接触位置が操作領域５を外れない限り、ユーザの指の接触位置に応じて、操作領域５に割り当てられた機能（ＧＵＩ６の機能）に関する処理を実行する（ステップ３０３）。次に、制御部１１は、近接センサ２０によって検出された検出値に基づいて、ユーザの指の接触が解除されたかどうかを判定する（ステップ３０４）。
【０１０３】
ユーザの指の接触が解除されていない場合（ステップ３０４のＮＯ）、制御部１１は、ステップ３０２へ戻り、再び、ユーザの指の接触位置を判定する。一方、ユーザの指の接触が解除された場合（ステップ３０４のＹＥＳ）、制御部１１は、処理を終了する。
【０１０４】
なお、本実施形態においては、操作領域５が操作状態であると一旦判定されれば（図１６のステップ２０６参照）、近接センサ２０によって、ユーザの指の接触位置が判定される。従って、ユーザの指が側周面３上でスライドされているときに、圧力値が閾値α未満になってしまったり（例えば、圧力値が０ｇｆ）、閾値βを超えてしまったりしたとしても、近接センサ２０で指を検出することができれば、操作領域５に割り当てられた機能（ＧＵＩ６の機能）に関する処理が実行される。
【０１０５】
ステップ３０１において、操作領域５が、スライド操作型の操作領域５ａではない場合（ステップ３０１のＮＯ）、制御部１１は、操作領域５が、押圧操作型の操作領域５ｂであるかどうかを判定する（ステップ３０５）。
【０１０６】
操作領域５が、押圧操作型の操作領域５ｂである場合（ステップ３０５のＹＥＳ）、制御部１１は、感圧センサ２１によって検出された圧力値に基づいて、操作領域５が押圧されたかどうかを判定する（ステップ３０６）。ここで、押圧されたかどうかの判断の基準となる閾値は、典型的には、上記閾値βよりも大きな値が設定される。
【０１０７】
操作領域５が押圧された場合（ステップ３０６のＹＥＳ）、制御部１１は、操作領域５に割り当てられた機能（ＧＵＩ６の機能）に関する処理を実行し（ステップ３０８）、処理を終了する。
【０１０８】
操作領域５が押圧されていない場合（ステップ３０６のＮＯ）、制御部１１は、近接センサ２０によって検出された検出値に基づいて、ユーザの指の接触が解除されたかどうかを判定する（ステップ３０７）。
【０１０９】
ユーザの指の接触が解除されていない場合（ステップ３０７のＮＯ）、制御部１１は、ステップ３０６へ戻り、再び、操作領域５が押圧されたかどうかを判定する。一方、ユーザの指の接触が解除された場合（ステップ３０７のＹＥＳ）、制御部１１は、処理を終了する。
【０１１０】
［ユーザによる操作領域５（ＧＵＩ６）の操作］
次に、ユーザにより、操作領域５が操作されたときに、どのような処理が実行されるかにつて、図８〜図１２を参照して具体的に説明する。
【０１１１】
例えば、ユーザが指でスライド操作型の操作領域５ａ（スクロール用のＧＵＩ６ａ）に軽く触れてから（あるいは、軽く押し込んでから）所定時間ｔ（０．３秒〜０．８程度）が経過すると、操作領域５が操作状態であると判定される（ステップ２０１〜２０６参照）。その後、ユーザが指をスライド操作（あるいは、フリック操作）させると、接触位置が検出されて、接触位置に応じて、正面１における表示部１３に表示されている画像がスクロールされる（ステップ３０１〜３０４）。
【０１１２】
また、ユーザが指で押圧操作型の操作領域５ｂ（画像切換用のＧＵＩ６ｂ）に軽く触れてから（あるいは、軽く押し込んでから）所定時間ｔ（０．３秒〜０．８程度）が経過すると、操作領域５が操作状態であると判定される（ステップ２０１〜２０６参照）。その後、ユーザが指をさらに押し込むと、押圧が検出されて、正面１における表示部１３に表示されている画像が他の画面に切り換えられる（ステップ３０５〜３０８）。
【０１１３】
［カメラアプリケーション］
次に、本技術がカメラアプリケーションに適用された場合について説明する。図１８〜図２０は、本技術がカメラアプリケーションに適用された場合の一例を示す図である。
【０１１４】
なお、図１８〜図２０では、ユーザが花を撮像しようとしており、筐体１０の正面１の表示部１３上には、撮像しようとしている花が表示されている場合の一例が示されている。
【０１１５】
制御部１１は、筐体１０の姿勢を判定し、その後、筐体１０の保持パターンを判定する（ステップ１０１〜１０２）。図１８〜図２０において、ユーザによって保持されていると判定されたポイントの一例が一点鎖線の円で示されている。
【０１１６】
次に、制御部１１は、筐体１０の姿勢及び保持パターンに基づいて、筐体１０の側周面３において、操作領域５を設定し、その操作領域５に対応する位置にＧＵＩ６を配置する（ステップ１０３〜１０４）。
【０１１７】
図１８〜図２０には、筐体１０の側周面３に対して、操作領域５及びＧＵＩ６が配置されたときの様子が示されている。
【０１１８】
図１８を参照して、筐体１０の姿勢が横向きの姿勢であり、筐体１０の保持パターンが両手により保持されている保持パターンである場合、例えば、筐体１０の上面３ａに、操作領域５が設定され、この操作領域５内に、ＧＵＩ６が配置される。
【０１１９】
図１８では、スライド操作型の操作領域５ａが、筐体１０上面３ａにおける左側に設定され、スライド操作型の操作領域５ａに対して、ズームイン／アウト用のＧＵＩ６ｃが配置された場合の一例が示されている。また、図１８では、押圧操作型の操作領域５ｂが筐体１０の上面３ａにおける右側に設定され、押圧操作型の操作領域５ｂに対して、シャッター用のＧＵＩ６ｄ（シャッタボタン）が配置された場合の一例が示されている。
【０１２０】
なお、図１８に示す例では、左手の人差し指によってズームイン／アウト用のＧＵＩ６ｃが操作され、右手の人差し指によってシャッター用のＧＵＩ６ｄ（シャッタボタン）が操作される場合が想定されている。
【０１２１】
図１９を参照して、筐体１０の姿勢が縦向きの姿勢であり、筐体１０の保持パターンが左手により保持されている保持パターンである場合、例えば、筐体１０の上面３ａに、操作領域５が設定され、この操作領域５内に、ＧＵＩ６が配置される。
【０１２２】
図１９では、スライド操作型の操作領域５ａが、筐体１０上面３ａにおける左側に設定され、スライド操作型の操作領域５ａに対して、ズームイン／アウト用のＧＵＩ６ｃが配置された場合の一例が示されている。また、図１９では、押圧操作型の操作領域５ｂが筐体１０の上面３ａにおける右側に設定され、押圧操作型の操作領域５ｂに対して、シャッター用のＧＵＩ６ｄ（シャッタボタン）が配置された場合の一例が示されている。
【０１２３】
なお、図１９に示す例では、右手（筐体１０を持っていない方の手）の指によってズームイン／アウト用のＧＵＩ６ｃ及びシャッター用のＧＵＩ６ｄ（シャッタボタン）が操作される場合が想定されている。
【０１２４】
図２０を参照して、筐体１０の姿勢が縦向きの姿勢であり、筐体１０の保持パターンが右手により保持されている保持パターンである場合、例えば、筐体１０の上面３ａに、操作領域５が設定され、この操作領域５内に、ＧＵＩ６が配置される。
【０１２５】
図２０では、スライド操作型の操作領域５ａが、筐体１０上面３ａにおける右側に設定され、スライド操作型の操作領域５ａに対して、ズームイン／アウト用のＧＵＩ６ｃが配置された場合の一例が示されている。また、図２０では、押圧操作型の操作領域５ｂが筐体１０の上面３ａにおける左側に設定され、押圧操作型の操作領域５ｂに対して、シャッター用のＧＵＩ６ｄ（シャッタボタン）が配置された場合の一例が示されている。
【０１２６】
なお、図２０に示す例では、左手（筐体１０を持っていない方の手）の指によってズームイン／アウト用のＧＵＩ６ｃ及びシャッター用のＧＵＩ６ｄ（シャッタボタン）が操作される場合が想定されている。
【０１２７】
図８〜図１２と、図１８〜図２０との比較から理解されるように、実行されるアプリケーション毎に、操作領域５が設定される位置（ＧＵＩ６が配置される位置）が異なっていてもよい。また、実行されるアプリケーション毎に、操作領域５に割り当てられる機能（ＧＵＩ６に割り当てられる機能）が異なっていてもよい。
【０１２８】
制御部１１は、操作領域５を設定したとき、操作領域５が設定された位置を示すガイド８を、筐体１０の正面１における表示部１３上に表示させてもよい。
【０１２９】
図２１及び図２２は、ガイド８の一例を示す図である。図２１に示す例では、操作領域５が設定された位置（ＧＵＩ６が配置された位置）を示す矢印と、操作領域５に割り当てられた機能（ＧＵＩ６に割り当てられた機能）を示す文字とが、ガイド８ｃとして筐体１０の正面１に表示されたときの様子が示されている。なお、このガイド８ｃは、表示されてから所定時間（例えば、数秒程度）が経過すると、表示部１３上から消去される。
【０１３０】
図２１に示す例では、操作領域５が設定された位置（ＧＵＩ６が配置された位置）に対応する、筐体１０の正面１の位置に、操作領域５（ＧＵＩ６）を想起させる図形が、ガイド８ｄとして配置されたときの様子が示されている。なお、このガイド８ｄは、表示されてから所定時間（例えば、数秒程度）が経過しても、表示部１３上から消去されないが、このガイド８ｄをユーザが操作しても何ら反応はしない。
【０１３１】
なお、図２１に示すガイド８ｃと、図２２に示すガイド８ｄとが組み合わされてもよい。
【０１３２】
例えば、ユーザが指でスライド操作型の操作領域５ａ（ズームイン／アウト用のＧＵＩ６ｃ）に軽く触れてから（あるいは、軽く押し込んでから）所定時間ｔ（０．３秒〜０．８程度）が経過すると、操作領域５が操作状態であると判定される（ステップ２０１〜２０６参照）。その後、ユーザが指をスライド操作（あるいは、フリック操作）させると、接触位置が検出されて、接触位置に応じて、画像がズームイン／アウトされる（ステップ３０１〜３０４）。
【０１３３】
また、ユーザが指で押圧操作型の操作領域５ｂ（シャッタ用のＧＵＩ６ｄ）に軽く触れてから（あるいは、軽く押し込んでから）所定時間ｔ（０．３秒〜０．８程度）が経過すると、操作領域５が操作状態であると判定される（ステップ２０１〜２０６参照）。その後、ユーザが指をさらに押し込むと、押圧が検出されて、撮像が行われる（ステップ３０５〜３０８）。
【０１３４】
＜作用等＞
以上説明したように、本実施形態では、感圧センサ２１によって検出された圧力値に基づいて、操作領域５がユーザによって操作されている状態と、操作領域５がユーザによって保持されている状態とが識別される。これにより、操作状態と、保持状態とを正確に識別することができる。
【０１３５】
従って、ユーザが筐体１０を保持したときに、ユーザの意図に反して操作領域５に割り当てられた機能（ＧＵＩ６に割り当てられた機能）が実行されてしまうことを防止することができる。また、ユーザからすれば、表示部が設けられた側周面を手で保持しつつ、側周面における操作領域５に割り当てられた機能（ＧＵＩ６に割り当てられた機能）を確実に実行させることができる。
【０１３６】
また、本実施形態においては、圧力値が、所定時間内（圧力値がαを超えた時刻Ｔ１から所定時間ｔが経過するまでの時間）内において所定範囲（閾値α以上閾値β以下の範囲）内の値を取り続けるという条件を満たすかどうかに基づいて、操作状態と、保持状態とが識別される。これにより、操作状態と、保持状態との識別の精度を向上させることができる。
【０１３７】
また、本実施形態では、操作状態と、保持状態とが識別されるとき、判定の対象となっている圧力値を検出した感圧センサ２１に隣接する２つの感圧センサ２１の圧力値が参照される。これにより、操作状態と、保持状態との識別の精度をさらに向上させることができる。
【０１３８】
また、本実施形態では、筐体１０の姿勢に基づいて、操作領域５が設定される位置が決定される。これにより、側周面３において適切な位置に操作領域５を設定することができる。また、本実施形態では、ユーザによって筐体１０が保持されている保持パターンに基づいて、操作領域５が設定される位置が決定される。これにより、側周面３においてさらに適切な位置に操作領域５を設定することができる。
【０１３９】
また、本実施形態では、筐体１０の姿勢が変化したとき、姿勢の変化に基づいて、新たに、側周面３において操作領域５が設定される位置が決定される。これにより、筐体１０の姿勢の変化に適切に追従して、操作領域５が設定される位置を決定することができる。また、本実施形態では、保持パターンが変化したとき、保持パターンの変化に基づいて、新たに、側周面３において操作領域５が設定される位置が決定される。これにより、保持パターンの変化に適切に追従して、操作領域５が設定される位置を決定することができる。
【０１４０】
また、本実施形態では、操作領域５が設定されたときに、操作領域５が設定された位置（及び操作領域５に割り当てられた機能）を示すガイド８が、筐体１０の正面１における表示部１３上に表示される。これにより、ユーザは、操作領域５が設定された位置（及び操作領域５に割り当てられた機能）を、筐体１０の正面１から容易に認識することができる。
【０１４１】
また、本実施形態では、操作領域５が設定されたとき、操作領域５に対応する位置にＧＵＩ６が表示される。これにより、ユーザは、ＧＵＩ６を視認することで、操作領域５が設定された位置（及び操作領域５に割り当てられた機能）を容易に認識することができる。
【０１４２】
また、本実施形態では、操作領域５がユーザによって操作されている状態であると判定された場合、近接センサ２０によって検出された接触位置に基づいて、所定の処理が実行される。これにより、ユーザは、（操作領域５に軽く触れるか、軽く押し込んだ後）、操作領域５をスライド操作（あるいは、フリック操作）することで、操作領域５に割り当てられた機能（例えば、スクロール、ズームイン／アウト）を実行させることができる。
【０１４３】
なお、本実施形態においては、操作領域５が操作状態であると一旦判定されれば、近接センサ２０によって、ユーザの指の接触位置が判定される。これにより、ユーザの指が側周面３上でスライド操作（あるいは、フリック操作）されているときに、圧力値が閾値α未満になってしまったり（例えば、圧力値が０ｇｆ）、閾値βを超えてしまったりしたとしても、スライド操作に応じて、操作領域５に割り当てられた機能を適切に実行することができる。
【０１４４】
また、本実施形態では、操作領域５がユーザによって操作されている状態であると判定された場合、感圧センサ２１によって検出された圧力値に基づいて、所定の処理が実行される。これにより、ユーザは、（操作領域５に軽く触れるか、軽く押し込んだ後）、操作領域５を押圧操作することで、操作領域５に割り当てられた機能（例えば、画像切換、シャッタ）を実行させることができる。
【０１４５】
ここで、例えば、筐体１０の正面１において、側周面３に近い位置にスクロール用のＧＵＩ６が配置される場合がある。このような位置にスクロール用のＧＵＩ６が配置されてしまうと、ユーザの指が側周面３に触れたときに、筐体１０の正面１における近接センサ２０によってユーザの指が検出されて、ユーザの意図に反してスクロールが実行されてしまう場合がある。一方、本実施形態では、側周面３においてスクロール用のＧＵＩ６（操作領域５）等が配置され、かつ、上述のように、操作状態と保持状態を正確に識別することできるので、このような誤作動も防止することができる。
【０１４６】
ここで、一般的なスマートフォンの場合、本実施形態とは異なり、筐体１０の側周面３には、感圧センサ２１は設けられておらず、側周面３に対する圧力値を検出することができない。また、一般的なスマートフォンの場合、スクロールは、筐体１０の正面１に配置されたスクロール用のＧＵＩが操作されるか、又は、筐体の正面がフリック操作されることで実行される。
【０１４７】
制御部１１は、当該スマートフォンが、上述のような、側周面３に対する圧力値を検出することができないスマートフォンであるか、側周面３に対する圧力値を検出することが可能なスマートフォン１００（本実施形態）であるかを識別してもよい。
【０１４８】
スマートフォンが、側周面３に対する圧力値を検出することができないスマートフォンである場合、制御部１１は、筐体１０の正面１にスクロール用のＧＵＩ６を表示させて、ＧＵＩの操作に基づいて、スクロールを実行する。あるいは、制御部１１は、筐体１０の正面１に対する特定の操作（例えば、フリック操作）を検出し、スクロールを実行する。
【０１４９】
一方、スマートフォンが、側周面３に対する圧力値を検出することが可能なスマートフォン１００（本実施形態）である場合、制御部１１は、側周面３において、上述の操作領域５の設定処理、保持状態、操作状態の識別処理、操作状態である場合の処理を実行する。このとき、制御部１１は、筐体１０の正面１にスクロール用のＧＵＩ６を表示させてもよいが、このスクロール用のＧＵＩ６に対する操作は、無効とする（抑制する）（特に、側周面３に近い位置にスクロール用のＧＵＩ６が配置される場合）。また、このとき、制御部１１は、筐体１０の正面１に対する特定の操作（例えば、フリック操作）を検出し、スクロールを実行することもできるが、この特定の操作（例えば、フリック操作）を無効とする（抑制する）こともできる。ここでの説明では、スクロールを一例として挙げて説明したが、ズームイン／アウトなど、他の各種処理にもこの考え方は適用可能である。
【０１５０】
＜各種変形例＞
［感圧センサ］
次に、感圧センサ２１の一例として、複数の感圧センサ２１を含む感圧機構３０を例に挙げて具体的に説明する。図２３は、感圧機構３０の構造を模式的に示す要部断面図である。
【０１５１】
図２３に示すように、感圧機構３０は、筐体１０（側周面３）と保護カバー３１との間に配置される。保護カバー３１は、感圧機構３０を被覆する部材であり、典型的には、ゴムやエラストマ等の弾性変形可能な材料で構成される。この保護カバー３１は、筐体１０を落下衝撃から保護し、また、ユーザより筐体１０に加えられた力を感圧機構３０へ伝達する。
【０１５２】
感圧機構３０は、回路基板３２と、第１の金属層３３と、第２の金属層３４と、第１の支持体３５と、第２の支持体３６とを有する。
【０１５３】
図２４は、回路基板３２を示す図である。回路基板３２は、Ｙ軸方向（長手方向）に沿って、所定の間隔を開けて配列された複数の容量素子３２ｓを有する。各容量素子３２ｓは、各々櫛歯状の共通電極３２ａ及び個別電極３２ｂを対向配置させることで構成される。各容量素子３２ｓは、制御部１１に電気的に接続されており、制御部１１からの入力信号を受けて駆動される。
【０１５４】
なお、１つの容量素子３２ｓと、この容量素子３２ｓに対応する位置に配置されている第１の金属層３３、第２の金属層３４、第１の支持体３５、第２の支持体３５とにより、１つの感圧センサ２１が構成される。
【０１５５】
第１及び第２の金属層３３、３４は、筐体１０（側周面６）の外面および保護カバー３１の内面に固定された銅箔等の金属箔で構成され、典型的には、グランド電位に接続される。第１及び第２の支持体３５、３６は、Ｘ軸方向（短手方向）に弾性変形可能な複数の柱状体で構成され、回路基板２１を挟んでＸ軸方向に整列するように配置される。第１の支持体３５は第１の金属層３３と回路基板３２との間に配置され、第２の支持体３６は第２の金属層３４と回路基板３２との間に配置される。
【０１５６】
以上のように構成される感圧機構３０（感圧センサ２１）は、保護カバー３１の表面に対する力を受けたとき、回路基板２１と、第１及び第２の金属層３３，３４との間の相対距離が局所的に変化する。この変化量は、各容量素子２１ｓにおいて共通電極３２ａ及び個別電極３２ｂ間の容量変化に基づいて検出され、この容量変化が圧力値として検出される。
【０１５７】
各容量素子２１ｓの静電容量変化の検知には、例えば、相互容量方式が用いられる。相互容量方式は、人体や金属板などの接地電極の近接を、２つの検知電極（共通電極３２ａ、個別電極３２ｂ）間の静電容量変化により測定する方式である。これら２つの検知電極からは、接地された人体や金属板などが近接することで、容量が減少してみえる。
【０１５８】
相互容量方式の静電容量センサは、一般的に、マルチタッチ可能なタッチパネルに用いられている。マルチタッチ可能なタッチパネルでは、ＸＹ方向のマトリックス状に例えば１６本×１０本の配線を形成することで、１６０の検知電極ペアを設けることができ、それぞれが個々に指の近接を検知することができる。感圧センサ２１としては、ＸＹ方向のマトリックス状の配線表面を圧力変形可能な金属板で覆い、接地された導電層とすることで、指の近接の代わりに金属面への圧力を検知できる。例えば、１６０の検知電極ペア毎に金属板の変形を検知できるので、複数圧力点のＸＹ方向座標はもちろん、Ｚ方向への圧力も推定することができる。このとき、図２４に示すように２つの検知電極を櫛歯状にすることで、これら検知電極と金属板との容量結合がしやすくなり、容量変化を高精度に検出することができる。
【０１５９】
以上の説明では、感圧機構３０（感圧センサ２１）として図２３及び図２４に示したような構造が採用されたが、これに限られない。典型的には、グラウンド電位を持つ金属層は１つでもかまわない。最小の構成としては金属の筐体をもって１つの変形金属層として代替できるため、センサ自体には金属層すら不要である。
【０１６０】
相互容量方式の静電容量センサに代えて、自己容量方式の静電容量センサが用いられてもよい。図２５は、自己容量方式の静電容量センサで構成された感圧機構４０を模式的に示す要部断面図、図２６は、感圧機構４０の電極構造を示す概略平面図である。
【０１６１】
図２５に示すように、感圧機構４０は、筐体１０と保護カバー３１との間に設置される。感圧機構４０は、回路基板４２と、金属層４３と、支持体４５とを有する。図２６に示すように、回路基板４０は、容量素子として、Ｙ軸方向（長手方向）に沿って、所定の間隔を開けて配列された複数の検知電極４２ｓを有する。各検知電極４２ｓは、配線部４６を介して制御部１１に電気的に接続される。電界の集中を回避するため、各検知電極４２ｓは、円形または矩形の平面形状を有し、図示するように四隅部がテーパ状又は丸みを帯びた形状に形成されるのが好ましい。同様に、配線部４６の屈曲部４７は直角ではなく、図示するように例えば４５度ずつ段階的に屈曲形成されるのが好ましい。
【０１６２】
なお、１つの容量素子４２ｓと、この容量素子４２ｓに対応する位置に配置されている金属層４３、支持体４５とにより、１つの感圧センサ２１が構成される。
【０１６３】
金属層４３は、保護カバー３１の内面に固定された銅箔等の金属箔で構成され、典型的には、グランド電位に接続される。支持体４５は、Ｘ軸方向（短手方向）に弾性変形可能な複数の柱状体で構成される。支持体４５は金属層４３と回路基板４２との間に配置される。
【０１６４】
自己容量方式の静電容量センサは、人体や金属板などの接地電極の近接を、個々の検知電極４２ｓの静電容量変化により測定する方式であり、一般的には、静電タッチスイッチに用いられる。感圧センサとしては、圧力により形状変化するコンデンサとも考えられる。検知電極４２ｓからは、接地された人体や金属板などが近接することで、静電容量が増加してみえる。自己容量方式の静電容量センサは、個別に検知したい数だけ、静電容量変化を測定する検知電極への配線が必要となる。感圧センサとしては、接地電極（金属層４３）と検知電極（検知電極４２ｓ）との間の面積、距離、誘電率をもとに容量変化を容易に設計できる。
【０１６５】
感圧センサとしては静電容量変化を活用したもの以外に、抵抗変化を利用したものや金属変形に伴う磁界の変化を利用したもの、圧電効果を利用したものなどが採用可能である。
【０１６６】
［感圧センサ＋近接センサ］
上述のような感圧機構３０、４０に加えて、ユーザの指（人体）の近接を検出する近接検出機構（近接センサ２０）がさらに設けられてもよい。
【０１６７】
図２８は、近接検出機構の一例を示す図である。図２８に示す近接検出機構５０は、回路基板３２'を備えている。この回路基板３２'は、図２３及び図２４に示す感圧機構３０における回路基板３２と同様の構成を有している。
【０１６８】
回路基板３２'は、Ｙ軸方向（長手方向）に沿って、所定の間隔を開けて配列された複数の容量素子３２ｓ'を有する（図２４も参照）。各容量素子３２ｓは、各々櫛歯状の共通電極３２ａ'及び個別電極３２ｂ'を対向配置させることで構成される。各容量素子３２ｓ'は、制御部１１に電気的に接続されており、制御部１１からの入力信号を受けて駆動される。
【０１６９】
なお、図２８に示す近接検出機構５０は、図２３、２４に示す感圧機構３０から、第１の金属層３３と、第２の金属層３４と、第１の支持体３５と、第２の支持体３６とが除かれて、回路基板３２'だけとなった構成とされている。
【０１７０】
近接検出機構５０（近接センサ）は、例えば、相互容量方式のセンサである。個別電極３２ｂ'（パルス電極）に対してパルス電圧が供給されると、個別電極３２ｂ'と共通電極３２ａ'（検出電極）との間に電界（点線参照）が発生する。
【０１７１】
ユーザの指（人体）が近接検出機構５０に近づくと、電界の一部がユーザの指に妨げられて、共通電極３２ａ'で検出される電界が減少し、共通電極３２ａ'、及び個別電極３２ｂ'間の静電容量が減少する。逆に、近づいたユーザの指が近接検出機構５０から遠ざかると、共通電極３２ａ'で検出される電界が増加し、共通電極３２ａ'及び個別電極３２ｂ'間の静電容量が増加する。このような静電容量の変化を検知することによって、ユーザの指の近接が検出される。
【０１７２】
図２９は、近接検出機構５０が感圧機構３０の上部に配置されたときの様子を示す図である。図２９に示すように、近接検出機構５０と感圧機構３０とが併用された場合、近接検出機構５０によりユーザの指の近接（及びその位置）を検出ことができ、かつ、感圧機構３０により押圧時の圧力を検出することができると考えられる。
【０１７３】
しかしながら、図２９に示すように、近接検出機構５０が、感圧機構３０の上部に"直接的に"配置された場合、以下のような問題がある。近接検出機構５０がユーザの指の近接を適切に検出するためには、図２８に示すように、個別電極３２ｂ'及び共通電極３２ａ'の間に発生する電界が、近接検出機構５０から外側（上側）に、一定の距離分突出している必要がある。
【０１７４】
一方、図２９に示すように、近接検出機構５０が、感圧機構３０の上部に直接的に配置された場合、近接検出機構５０において、個別電極３２ｂ'及び共通電極３２ａ'の間に発生する電界が、感圧機構３０における第１の金属層３３の影響を受けてしまう。つまり、近接検出機構５０と、感圧機構３０との距離が近いので、個別電極３２ｂ'及び共通電極３２ａ'の間に発生する電界の一部が、グランド電位とされている第１の金属層３３側に移ってしまう。
【０１７５】
従って、近接検出機構５０において、個別電極３２ｂ'及び共通電極３２ａ'の間に発生する電界が、近接検出機構５０から外側（上側）に、一定の距離分突出することができない。このため、近接検出機構５０がユーザの指の近接を適切に検出することができなくなってしまう場合がある。
【０１７６】
なお、図２９において、感圧機構３０の代わりに、感圧機構４０（図２５及び図２６参照）が用いられた場合も同様の問題がある。つまり、個別電極３２ｂ'及び共通電極３２ａ'の間に発生する電界の一部が、グランド電位とされている金属層４３側に移ってしまうので、近接検出機構５０がユーザの指の近接を適切に検出することができなくなってしまう場合がある。
【０１７７】
このような問題を解決するため、近接検出機構５０と感圧機構３０（あるいは、感圧機構４０）との間に、スペーサが介在されてもよい（スペーサは、実際の物体であってもよいし、単なる空間であってもよい）。
【０１７８】
図３０は、近接検出機構５０と感圧機構３０との間に、スペーサが介在されたときの一例を示す図である。図３０では、スペーサ６１の材料として、樹脂、ＳｉＯ２などの絶縁材料が用いられた場合の一例が示されている。
【０１７９】
図３０に示すように、近接検出機構５０と、感圧機構３０との間にスペーサ６１が介在されることで、近接検出機構５０の個別電極３２ｂ'及び共通電極３２ａ'と、感圧機構３０の第１の金属層３３との間の距離を大きくすることができる。
【０１８０】
これにより、個別電極３２ｂ'及び共通電極３２ａ'の間に発生する電界が、感圧機構３０における第１の金属層３３の影響を受けてしまうことを防止することができる。従って、近接検出機構５０により、ユーザの指の近接を適切に検出することができる。
【０１８１】
図３１は、近接検出機構５０と感圧機構３０との間に、スペーサが介在されたときの他の一例を示す図である。図３１では、スペーサ６２の材料として、高誘電率材料が用いられた場合の一例が示されている。
【０１８２】
スペーサ６２の材料として、高誘電率材料が用いられた場合、近接検出機構５０の個別電極３２ｂ'及び共通電極３２ａ'の間で発生した電界が、スペーサ６２の内部で縮む（上下方向：Ｘ軸方向）。
【０１８３】
従って、近接検出機構５０の個別電極３２ｂ'及び共通電極３２ａ'と、感圧機構３０の第１の金属層３３との間の距離を、図３０に示す例よりも小さくしつつ（つまり薄型化が可能）、近接検出機構５０により、ユーザの指の近接を適切に検出することができる。
【０１８４】
なお、図３０及び図３１においては、感圧機構として感圧機構３０が用いられた場合が示されているが、感圧機構として感圧機構４０が用いられた場合も同様の効果がある（電界が金属層４３の影響を受けてしまうことを防止することができるので）。
【０１８５】
［折り畳み式の筐体］
本技術は、折り畳み式の筐体３０を有するスマートフォン２００にも適用可能である。図２７は、折り畳み式の筐体３０を有するスマートフォン２００を示す図である。図２７の上側には、筐体３０が展開状態である場合の筐体３０の様子が示されている。一方、図２７の下側には、筐体３０が折り畳み状態である場合の筐体３０の様子が示されている。
【０１８６】
図２７に示すように、このスマートフォン２００では、展開状態と折り畳み状態との間で筐体３０の形状が変更可能とされている。図２７に示す例では、筐体３０が２重に折り畳み可能とされているが、筐体３０は、３重以上に折り畳み可能に構成されていてもよい。また、図２７に示す例では、折り曲げ箇所（一点鎖線参照）が予め決められているとして説明するが、折り曲げ箇所が不定（つまり、どこでも折り曲げ可能）であってもよい。
【０１８７】
展開状態における筐体３０の正面３１及び背面３２には、全体に亘って表示部１３が配置されている。また、展開状態における筐体３０の正面３１及び背面３２において表示部１３上には、全体に亘って近接センサ２０が配置されている。なお、ここでの例では、展開状態における筐体３０の側周面３３においては、表示部１３及び近接センサ２０は配置されていないが、この位置に表示部１３及び近接センサ２０が配置されていてもよい。
【０１８８】
展開状態においてＹ軸方向の中心位置には、Ｘ軸方向に沿って折り曲げ箇所（一点鎖線参照）が設定されている。この折り曲げ箇所には、Ｘ軸方向に沿って所定の間隔を開けて複数の感圧センサ２１が配置されている。
【０１８９】
展開状態における筐体３０が、図に示す黒の矢印のように折り曲げられ、折り畳み状態とされたとする。この場合、折り畳み状態における筐体３０の正面４１は、展開状態における筐体３０の正面３１の左半分に対応し、折り畳み状態の筐体３０の背面４２は、展開状態における筐体３０の正面３１の右半分に対応する。また、折り畳み状態における筐体３０の右側面４３ｃは、展開状態における筐体１０の正面１中央近傍に対応する。
【０１９０】
折り畳み状態における筐体３０の右側面４３ｃ（折り曲げ箇所：感圧センサ２１が配置されている）において、上述の操作領域５の設定処理、保持状態、操作状態の識別処理、操作状態である場合の処理が実行される。なお、折り畳み状態における筐体３０の上面４３ａ、下面４３ｂ、左側面４３ｄにおいても、上記各種の処理が実行されてもよい（この場合には、対応する箇所に感圧センサ２１が配置される）。
【０１９１】
［その他］
以上の説明では、操作領域５が設定される位置が、筐体１０、３０の側周面３、４３（サブ面）である場合について説明した。一方、操作領域５が設定される位置は、筐体１０、３０の背面２、３２、４２（サブ面）であってもよい。この場合、筐体１０、３０の背面２、３２、４２に対して感圧センサ２１が配置される。
【０１９２】
以上の説明では、操作領域５が設定される位置が、姿勢や保持パターンに応じて決定される場合について説明した。一方、操作領域５が設定される位置は、姿勢や保持パターンに関係なく、一定の場所に予め決定されていてもよい。この場合、その一定の場所にのみ、感圧センサ２１が配置される。
【０１９３】
以上の説明では、操作領域５が、表示部１３が設けられた箇所のいずれかの位置に設定される場合について説明した。一方、操作領域５は、表示部１３が設けられていない箇所に設定されてもよい。
【０１９４】
例えば、図１において、側周面３の表示部１３が省略され、その側周面３に、操作領域５が設定されてもよい。なお、このような場合、操作領域５に対応する位置に、ＧＵＩ６は配置されない（つまり、ＧＵＩ６は必ずしも必要ではない）。また、操作領域５は、表示部１３が設けられた箇所と、表示部１３が設けられていない箇所の両方に設定されてもよい。
【０１９５】
以上の説明では、感圧センサ２１の数が複数である場合について説明したが、感圧センサ２１の数は、１つであってもよい。
【０１９６】
以上の説明では、情報処理装置の一例として、スマートフォン１００、２００を例に挙げて説明したが、情報処理装置は、これに限られない。例えば、情報処理装置は、タブレットＰＣ（ＰＣ：personal computer）、携帯ゲーム機、携帯音楽プレイヤー、ウェアラブル装置、バーチャルリアリティ装置等であってもよい。なお、上記した制御部１１における各種の処理は、ネットワーク上のサーバ装置（情報処理装置）の制御部１１によって実行されてもよい。
【０１９７】
本技術は、以下の構成をとることもできる。
（１）正面と、操作領域を有するサブ面とを有し、ユーザが保持可能な筐体と、
前記正面に設けられた表示部と、
前記サブ面に対する圧力値を検出する感圧センサと、
前記圧力値に基づいて、前記操作領域がユーザによって操作されている状態と、前記操作領域がユーザによって保持されている状態とを識別し、前記操作領域がユーザによって操作されている状態であると判定された場合、前記操作領域に対するユーザの操作に基づいて所定の処理を実行する制御部と
を具備する情報処理装置。
（２）  上記（１）に記載の情報処理装置であって、
前記制御部は、前記圧力値が所定時間内において所定範囲内の値を取り続けるという条件を満たした場合、前記操作領域がユーザによって操作されている状態であると判定する
情報処理装置。
（３）  上記（２）に記載の情報処理装置であって、
前記制御部は、前記条件を満たさない場合、前記操作領域がユーザによって保持されている状態であると判定する
情報処理装置。
（４）  上記（１）に記載の情報処理装置であって、
複数の感圧センサを有し、
前記制御部は、前記複数の感圧センサのうち第１の感圧センサによって検出された第１の圧力値が、所定時間内において所定範囲内の値を取り続けるという条件を満たした場合、第１の感圧センサに隣接する第２の感圧センサによって検出された第２の圧力値に基づいて、前記操作領域がユーザによって操作されている状態と、前記操作領域がユーザによって保持されている状態とを識別する
情報処理装置。
（５）  上記（４）に記載の情報処理装置であって、
前記制御部は、前記第２の圧力値が、所定の閾値未満である場合、前記操作領域がユーザによって操作されている状態であると判定する
情報処理装置。
（６）  上記（４）又は（５）に記載の情報処理装置であって、
前記制御部は、前記第２の圧力値が、所定の閾値以上である場合、前記操作領域がユーザによって保持されている状態であると判定する
情報処理装置。
（７）  上記（１）〜（６）のうちいずれか１つに記載の情報処理装置であって、
前記制御部は、前記サブ面において、前記操作領域を設定する位置を決定する
情報処理装置。
（８）  上記（７）に記載の情報処理装置であって、
前記筐体の姿勢を検出するモーションセンサをさらに具備し、
前記制御部は、検出された前記筐体の姿勢に基づいて、前記操作領域を設定する位置を決定する
情報処理装置。
（９）  上記（７）又は（８）に記載の情報処理装置であって、
前記制御部は、前記圧力値に基づいて、ユーザによって筐体が保持されている保持パターンを判定し、前記保持パターンに基づいて、前記操作領域を設定する位置を決定する
情報処理装置。
（１０）  上記（８）に記載の情報処理装置であって、
前記制御部は、前記筐体の前記姿勢が変化したとき、前記姿勢の変化に基づいて、新たに、前記サブ面において前記操作領域を設定する位置を決定する
情報処理装置。
（１１）  上記（９）に記載の情報処理装置であって、
前記制御部は、前記保持パターンが変化したとき、前記保持パターンの変化に基づいて、新たに、前記サブ面において前記操作領域を設定する位置を決定する
情報処理装置。
（１２）  上記（７）〜（１１）のうちいずれか１つに記載の情報処理装置であって、
前記制御部は、前記サブ面において、前記操作領域を設定したとき、前記操作領域が設定された位置を示すガイドを、前記正面における前記表示部上に表示させる
情報処理装置。
（１３）  上記（１）〜（１２）のうちいずれか１つに記載の情報処理装置であって、
前記表示部は、前記正面及び前記サブ面に設けられ、
前記制御部は、前記表示部において、前記サブ面における前記操作領域に対応する位置にＧＵＩ（Graphical User Interface）を表示させる
情報処理装置。
（１４）  上記（１）〜（１３）のうちいずれか１つに記載の情報処理装置であって、
前記サブ面に設けられ、ユーザの接触位置を検出する近接センサをさらに具備し、
前記制御部は、前記操作領域がユーザによって操作されている状態であると判定された場合、検出された前記接触位置に基づいて、前記所定の処理を実行する
情報処理装置。
（１５）  上記（１）〜（１４）のうちいずれか１つに記載の情報処理装置であって、
前記制御部は、記操作領域がユーザによって操作されている状態であると判定された場合、前記圧力値に基づいて、前記所定の処理を実行する
（１６）  上記（１）〜（１５）のうちいずれか１つに記載の情報処理装置であって、
前記筐体は、展開状態と、折り畳み状態との間で形状が変更可能である
情報処理装置。
（１７）  表示部を有する正面と、操作領域を有するサブ面とを有し、ユーザが保持可能な筐体の前記サブ面に対する圧力値に基づいて、前記操作領域がユーザによって操作されている状態と、前記操作領域がユーザによって保持されている状態とを識別し、
前記操作領域がユーザによって操作されている状態であると判定された場合、前記操作領域に対するユーザの操作に基づいて所定の処理を実行する
情報処理方法。
（１８）  表示部を有する正面と、操作領域を有するサブ面とを有し、ユーザが保持可能な筐体の前記サブ面に対する圧力値に基づいて、前記操作領域がユーザによって操作されている状態と、前記操作領域がユーザによって保持されている状態とを識別するステップと、
前記操作領域がユーザによって操作されている状態であると判定された場合、前記操作領域に対するユーザの操作に基づいて所定の処理を実行するステップと
をコンピュータに実行させるプログラム。
【符号の説明】
【０１９８】
１、３１、４１…正面
２、３２、４２…背面
３、３３、４３…側周面
５…操作領域
６…ＧＵＩ
１０、３０…筐体
１１…制御部
１３…表示部
１９…モーションセンサ
２０…近接センサ
２１…感圧センサ
１００、２００…スマートフォン
【図１】
2019017153.tif 000003
【図２】
2019017153.tif 000004
【図３】
2019017153.tif 000005
【図４】
2019017153.tif 000006
【図５】
2019017153.tif 000007
【図６】
2019017153.tif 000008
【図７】
2019017153.tif 000009
【図８】
2019017153.tif 000010
【図９】
2019017153.tif 000011
【図１０】
2019017153.tif 000012
【図１１】
2019017153.tif 000013
【図１２】
2019017153.tif 000014
【図１３】
2019017153.tif 000015
【図１４】
2019017153.tif 000016
【図１５】
2019017153.tif 000017
【図１６】
2019017153.tif 000018
【図１７】
2019017153.tif 000019
【図１８】
2019017153.tif 000020
【図１９】
2019017153.tif 000021
【図２０】
2019017153.tif 000022
【図２１】
2019017153.tif 000023
【図２２】
2019017153.tif 000024
【図２３】
2019017153.tif 000025
【図２４】
2019017153.tif 000026
【図２５】
2019017153.tif 000027
【図２６】
2019017153.tif 000028
【図２７】
2019017153.tif 000029
【図２８】
2019017153.tif 000030
【図２９】
2019017153.tif 000031
【図３０】
2019017153.tif 000032
【図３１】
2019017153.tif 000033
【国際調査報告】
2019017153.tif 000034
2019017153.tif 000035
2019017153.tif 000036
2019017153.tif 000037
2019017153.tif 000038
2019017153.tif 000039